(57)【要約】【課題】記録装置における、所謂マーカー音の記録用に設けられる低周波発振器を省略し、回路製造コストの削減、及び省スペース化を図る。【解決手段】記録媒体駆動用のモータを備え、上記記録媒体にアナログデータの記録が可能な記録装置において、上記媒体駆動用のモータを駆動させることに伴って当該モータ内のコイルに生じる逆起電力を検出するようにする。そして、このようにして検出した逆起電力に対応する信号を、他の記録データに重畳して上記記録媒体に対して記録する。これにより、当該記録装置においては、上記逆起電力に対応した信号を、マーカー音として上記記録媒体に記録することができるようになる。【選択図】　　　　図１
2004039115.tif 000002
【特許請求の範囲】
【請求項１】
モータを備え、このモータにより記録媒体を一定速度により駆動することのできる媒体駆動手段と、
上記媒体駆動手段により駆動される上記記録媒体に対し、情報の記録を行うことができる記録手段と、
上記媒体駆動手段における上記モータを駆動させることにより、このモータ内の巻線に生じるとされる逆起電力を検出する逆起電力検出手段と、
上記逆起電力検出手段により検出された上記逆起電力に基づいた信号を記録情報に重畳して、上記記録手段により上記記録媒体に記録させる逆起信号重畳手段と、
を備えることを特徴とする記録装置。
【請求項２】
上記モータは、（ブラシ整流子を備えない）ブラシレスモータとされることを特徴とする請求項１に記載の記録装置。
【請求項３】
モータによって駆動される記録媒体に対して記録情報を記録する際において、
上記モータ内の巻線に生じるとされる逆起電力に基づいて得られる信号を、上記記録情報に重畳して上記記録媒体に記録するようにしたこと、
を特徴とする記録方法。
【発明の詳細な説明】
【０００１】
【発明の属する技術分野】
本発明は、例えば磁気テープ等の記録媒体に対するアナログデータの記録を行うことができる記録装置、及びこの記録装置における記録方法に関するものである。
【０００２】
【従来の技術】
従来より、アナログのオーディオ信号を記録することのできる記録装置として、例えばカセット内に格納された磁気テープに対する記録／再生を行うことのできる、所謂カセットテープレコーダが広く普及している。
そして、このようなカセットテープレコーダとして、例えば、会議中の会話内容等を音声記録する用途に用いるために、マイクロフォンが備えられて外部音声を録音可能に構成された、所謂メモ録用のカセットテープレコーダが一般的に普及している。
【０００３】
このようなメモ録用のカセットテープレコーダには、記録音声についての頭出し機能として、例えば会話内容の転換点や発言者の交代した時点等を録音中にマークしておくための、マーカー機能を備えるものがある。
すなわち、音声記録時において、ユーザー操作に応じたタイミングで、他の記録音声よりも低周波（例えば数十〜数百Ｈｚ）となる信号を重畳するようにし、この部分を、頭出しポイントを示すマーカー音として記録しておくようにするものである。
そして、このようにすることで、頭出しポイントをサーチするための早送り／早戻し再生中に、この低周波信号部分を他の音声と聞き分けることができるようにし、これによりマークした頭出しポイントを検出可能にするものである。
【０００４】
図５は、このようなマーカー機能が備えられた従来のカセットテープレコーダ１００の内部構成について示した回路図である。
なお、この図においては、主に電気信号系の回路についてのみ示しており、他の部分については省略して示している。
先ず、この図に示すカセットテープレコーダ１００は、記録／再生ヘッド１１を備え、装填されたカセットテープに対するアナログ音声信号の記録／再生が可能に構成されている。また、図示するように、マイクロフォン（ＭＩＣ）２を備え、外部より得られる音声を音声信号として入力可能に構成されている。
また、図示するスピーカ６が備えられることにより、記録／再生ヘッド１１により再生したデータを音声出力することも可能とされる。
【０００５】
このカセットテープレコーダ１００において、記録／再生切替スイッチ３ａ、３ｂ、３ｃは、記録動作／再生動作の切替えに連動して、上記記録／再生ヘッド１１に対する信号の入出力切替を行うようにされる。具体的には、記録時において、記録／再生ヘッド１１に対し、マイクロフォン２より供給される音声信号を入力させるようにする。また、再生時には、上記記録／再生ヘッド１１より出力される再生信号を、スピーカ６に供給するよう切替動作を行うようにされる。
なお、図示するこれら各スイッチの状態は、記録時に対応したものである。
【０００６】
モータ９は、図示しないキャプスタンやハブ等の各種メカ部を駆動するためのモータである。
このモータ９は、ブラシレスモータとされ、図示する三相コイル９ａに対して、制御・駆動回路８により生成された駆動電流が供給されることにより、回転子が一定の速度で以て回転するようにされる。
制御・駆動回路８の動作は、図示するモータ駆動スイッチ７の開閉によりオン／オフするようにされ、これに応じてモータ９の動作もオン／オフされるようになる。
また、この場合、上記モータ駆動スイッチ７は、例えば記録、再生、早戻し再生、早送り再生の操作に応じてオンするようにされる。
【０００７】
録音・再生回路４は、記録時においては、上記記録／再生スイッチ３ａ、直流阻止コンデンサＣＣ１を介してマイクロフォン２から供給される音声信号を増幅する。そして、このようにして増幅した音声信号を、直流阻止コンデンサＣＣ２、及び記録／再生スイッチ３ｂを介して、図示する抵抗Ｒ２とコンデンサＣ１との並列接続回路により形成される録音イコライザ回路に対して出力するようにされる。
また、再生時においては、記録／再生ヘッド１１から供給される再生信号を上記記録／再生スイッチ３ａを介して入力する。そして、これを増幅し、直流阻止コンデンサＣＣ２、及び記録／再生スイッチ３ｂを介して、図示するコンデンサＣ２と抵抗Ｒ３との直列接続回路により形成される再生イコライザ回路に対して出力するようにされる。
【０００８】
上記録音イコライザ回路は、所要の時定数に基づき、上記録音・再生回路４より供給される音声信号としての各種周波数信号のレベルを補償する。そして、このようにして各種周波数帯のレベルが補償された音声信号を、記録／再生ヘッド１１内に形成されるコイルに対して出力する。
【０００９】
記録／再生ヘッド１１は、記録時においては、上記のようにして録音イコライザ回路からコイルに対して供給された音声信号（記録信号）を、所要の一定速度となるようにして走行駆動される磁気テープに対して磁気的に記録する。
また、再生時においては、一定速度で送られる磁気テープ上に記録されている磁気信号を検出するようにされ、これに応じた電流（再生信号）をコイルに得るようにされる。
【００１０】
再生時において、記録／再生ヘッド１１のコイルに得られた再生信号は、上記記録／再生スイッチ３ｃを介して、再生イコライザ回路（コンデンサＣ２−抵抗Ｒ３）に供給される。
そして、この再生イコライザ回路は、所要の時定数に基づいて再生信号としての各種周波数信号のレベルを補償する。
この再生イコライザ回路により各種周波数帯のレベルが補償された再生信号は、図示する可変抵抗ＲＶに供給される。
【００１１】
可変抵抗ＲＶは、上記再生イコライザ回路より供給される再生信号についてのレベル調整を行う。例えば、この可変抵抗ＲＶは、当該マイクロテープレコーダ１の筐体外部に設けられる音量調節操作子に対する操作に連動して、その抵抗値を可変することにより、供給される再生信号の信号レベルを調整する。
この可変抵抗ＲＶに供給された再生信号は、図示する直流阻止コンデンサＣＣ３を介してスピーカドライブ回路５に供給される。
【００１２】
スピーカドライブ回路５は、供給される再生信号を増幅することにより、スピーカ６を駆動するためのドライブ信号を生成する。そして、このようにして生成したドライブ信号を、直流阻止コンデンサＣＣ４を介してスピーカ６に対して出力する。
これにより、このスピーカ６においては、上記ドライブ信号に（再生信号）に基づいた音声出力が行われるようになる。
【００１３】
マーカー機能部１１０は、前述したようなマーカー機能を実現するための部位である。
このマーカー機能部１１０は、図示するようにマーカースイッチ１０、低周波発振器（ＯＳＣ）１１１、コンデンサＣＣ６、バッファーアンプ１１２、直流阻止コンデンサＣＣ５、レベル調整抵抗Ｒ４により構成されている。
【００１４】
このマーカー機能部１１０において、低周波発振器１１１は、上記マーカースイッチ１０がオンとされ、図示する入力電源の正極端子からの電力供給を受けるのに応じて、低周波とされる所定の周波数信号を発振出力する。なお、この場合、低周波発振器１１１は、正弦波としての発振信号を発振する。また、その発信周波数としては、数十〜数百Ｈｚの間にあるようにされる。
このようにして発振した低周波信号は、コンデンサＣＣ６を介してバッファーアンプ１１２に供給される。
【００１５】
バッファーアンプ１１２は、入力された低周波信号を増幅し、これを直流阻止コンデンサＣＣ５を介してレベル調整抵抗Ｒ４に対して出力する。
レベル調整抵抗Ｒ４においては、バッファーアンプ１１２により増幅された低周波信号が所定の信号レベルに調整される。そして、このようにして調整された低周波信号は、図示する記録／再生ヘッド１１内のコイルに対して供給される。
これにより、装填されたカセットテープの磁気テープ上には、上記低周波発振器１１１により発振した低周波信号が、上記マイクロフォン２からの音声信号に重畳されるようにして記録されるようになる。
【００１６】
このようにして、従来のカセットテープレコーダ１００では、ユーザー操作により上記マーカースイッチ１０がオンとされるのに応じて、磁気テープ上にマーカー音を記録することができるようにされている。
【００１７】
続いて、図６には、上記マーカー機能部１１０内に時定数回路を設けるカセットテープレコーダ２００内部の構成を示した回路図を示す。
なお、この図においても、主にカセットテープレコーダ２００内部の電気信号系の回路の要部のみを示しており、その他の部分については省略して示している。
また、この図において、既に図４において説明した部分については同一の符号を付して説明を省略する。
このカセットテープレコーダ２００は、図示するマーカー機能部１１０内に時定数回路２１２を設けるようにし、これによりマーカースイッチ１０に対するオン操作があったことに応じ、所定の時間長にわたって上記低周波信号を出力し続けるようにするものである。そして、これにより、上記マーカースイッチ１０をオンし続けなくとも、早送り再生／早戻し再生時に対応した十分な時間長のマーカー音を記録できるようにするものである。
【００１８】
この時定数回路２１２において、マーカースイッチ１０がオフとされている状態では、トランジスタＱ１にベース電流が流されないようにされるため、このトランジスタＱ１はオフの状態にある。
このため、このトランジスタＱ１のコレクタに対し、図のように抵抗Ｒ６、抵抗Ｒ７を介して接続されるトランジスタＱ２のベースにもベース電流は流れておらず、このトランジスタＱ２もオフの状態にある。
そして、これに伴っては、このトランジスタＱ２のコレクタに対し、抵抗Ｒ１０を介して接続されるトランジスタＱ２のベースに対してもベース電流が供給されず、このトランジスタＱ３もオフ状態にある。
【００１９】
このような状態において、上記マーカースイッチ１０がオンとされた場合には、トランジスタＱ１のエミッタ→ベース→抵抗Ｒ９を介して電流が流れるようになり、トランジスタＱ１がオンとなる。そして、このようにトランジスタＱ１がオンとなることで、このトランジスタＱ１のエミッタ→コレクタ→抵抗Ｒ６を介した電流が流れるようになる。
この際、上記のようにして流れるようになった電流は、上記抵抗Ｒ６の抵抗値が比較的小さいものとされることにより、上記マーカースイッチ１０がオンとされた時点から比較的短い期間に、図示する時定数コンデンサＣ４に対して急激に充電されていく。そして、これに応じて時定数コンデンサＣ４の電位（トランジスタＱ２のベース電位）が上昇し、所要の電位以上になるのに応じ、トランジスタＱ２がオンとなる。
【００２０】
このようにしてトランジスタＱ２がオンとなることにより、トランジスタＱ３に対してベース電流が供給されるようになり、トランジスタＱ３がオンとなる。
トランジスタＱ３がオンとなることによっては、このトランジスタＱ３のエミッタ→コレクタを介した電流が流れるようになる。そして、この電流は、トランジスタＱ３のコレクタに対して接続されている低周波発振器１１１の動作電源として供給されるようになる。
これにより、この低周波発振器１１１の発振動作が開始され、記録／再生ヘッド１１のコイルにマーカー音としての低周波信号が供給されるようになる。
【００２１】
この状態において、上記マーカースイッチ１０がオフとされたとする。
すると、これに応じては、トランジスタＱ１にベース電流が供給されなくなることにより、トランジスタＱ１はオフとなる。
そして、上記時定数コンデンサＣ４に対して充電されていた電荷は抵抗Ｒ８を介して放電されていくようにされるのであるが、この場合、上記抵抗Ｒ８としては、抵抗値の比較的大きいものが選定されているため、時定数コンデンサＣ４の放電は徐々に行われるようにされる。
これに伴っては、トランジスタＱ２のベース電位も徐々に低下していくようにされるため、この電位が所要の電位以下となるまでの期間は、このトランジスタＱ２のオン状態は維持されるようになる。
【００２２】
このようにしてトランジスタＱ２のオン状態が維持されることによっては、トランジスタＱ３もオン状態が維持され、これに伴って上記低周波発振器１１１への電力供給も維持されるようになる。
すなわち、上記マーカースイッチ１０がオフとされた後においても、所定時間内はこの低周波発振器１１１による発振動作が維持されるようになり、これに応じて記録／再生ヘッド１１においても、磁気テープに対するマーカー音の記録状態が維持されるようになるものである。
【００２３】
このようにして、従来のカセットテープレコーダ２００においては、上記マーカースイッチ１０をオンし続けなくとも、早送り再生／早戻し再生時に対応した十分な時間長のマーカー音を記録することができるようにされている。
【００２４】
【発明が解決しようとする課題】
ここで、上記図５、図６において説明したように、従来のカセットテープレコーダ１００、２００においては、上記したマーカー機能を実現する際のマーカー音を記録するために、低周波信号を発振する専用の発振器（低周波発振器１１１）、及びこの発振器の出力を増幅するためのバッファーアンプ（１１２）を設けるようにされている。
【００２５】
しかしながら、上記のようにして、マーカー音を発生するために専用の低周波発振器、及びバッファーアンプを設けるようにされることにより、従来のカセットテープレコーダ１００、２００では、回路製造上のコストの削減、及び小型化が図られなかった。
【００２６】
また、上記のようにして設けられる低周波発振器１１１の発振動作は、電源電圧や周囲の温度などに依存するため、これらの変動に伴って、信号の出力レベルや周波数が変動してしまうという問題点があった。
【００２７】
【課題を解決するための手段】
以上のような問題点に鑑み、本発明では、記録装置として以下のように構成することした。
すなわち、モータを備え、このモータにより記録媒体を一定速度により駆動することのできる媒体駆動手段と、上記媒体駆動手段により駆動される上記記録媒体に対し、情報の記録を行うことができる記録手段とを備えるようにし、さらに、上記媒体駆動手段における上記モータを駆動させることにより、このモータ内の巻線に生じるとされる逆起電力を検出する逆起電力検出手段と、上記逆起電力検出手段により検出された上記逆起電力に基づいた信号を記録情報に重畳して、上記記録手段により上記記録媒体に記録させる逆起信号重畳手段とを備えるようにした。
【００２８】
また、本発明では、記録方法として以下のようにすることとした。
すなわち、モータによって駆動される記録媒体に対して記録情報を記録する際において、
上記モータ内の巻線に生じるとされる逆起電力に基づいて得られる信号を、上記記録情報に重畳して上記記録媒体に記録するようにした。
【００２９】
上記のようにすることで、本発明においては、上記媒体駆動用のモータを駆動させることに伴って当該モータ内の巻線に生じる、逆起電力が検出されるようになる。そして、このようにして検出された逆起電力に対応する信号が、他の記録データに重畳されるよう制御されることにより、上記逆起電力に対応した信号が、マーカー音として上記記録媒体に記録されるようになる。
【００３０】
【発明の実施の形態】
以下、本発明の本実施の形態としての記録装置について、本発明の記録装置が、所謂マイクロカセットテープと呼ばれるテープ幅およそ４ｍｍの磁気テープに対するデータの記録／再生が可能とされる、マイクロカセットテープレコーダとして適用される場合について説明する。
図１は、本実施の形態としてのマイクロカセットテープレコーダ１内部の要部の構成例を示した回路図である。
なお、この図では、主に電気信号系の回路についてのみ示しており、他の部位については省略して示している。
【００３１】
この図に示すマイクロカセットテープレコーダ１は、図示するようにマイクロフォン（ＭＩＣ）２と記録／再生ヘッド１１とを備え、例えば、会議中の会話内容等を音声記録する用途に用いられる、所謂メモ録用のテープレコーダとして構成される。
また、このカセットテープレコーダ１は、図示するようにスピーカ６を備え、装填されたマイクロカセットテープより再生した音声信号を、スピーカ６より音声出力することも可能とされる。
【００３２】
先ず、このマイクロカセットテープレコーダ１において、マイクロフォン２は、当該マイクロカセットテープレコーダ１の周囲に得られている音声を入力し、これに基づいた音声信号を生成する。
【００３３】
記録／再生スイッチ３ａは、記録／再生動作の切替に連動した切替動作を行うようにされる。
この記録／再生スイッチ３ａは、３端子スイッチとされ、一方の被切替端子は、上記マイクロフォン２に対して接続され、他方の被切替端子は、図示するように上記記録／再生ヘッド１１内のコイルの一方の端部に対して接続される。そして、切替端子は直流阻止コンデンサＣＣ１を介して録音・再生回路４に対して接続されている。
この記録／再生スイッチ３ａは、記録時においては、上記マイクロフォン２側端子を選択し、再生時においては上記コイル側端子を選択するようにされる。
【００３４】
録音・再生回路４は、図示するように入力電源に対して並列に接続され、これにより動作電源が供給される。
この録音・再生回路４は、記録時においては、上記記録／再生スイッチ３ａ、直流阻止コンデンサＣＣ１を介してマイクロフォン２から供給される音声信号を増幅する。そして、このようにして増幅した音声信号を、直流阻止コンデンサＣＣ２を介し、記録／再生スイッチ３ｂの切替端子に出力する。
また、再生時においては、後述するようにして記録／再生ヘッド１１から供給される再生信号を、上記記録／再生スイッチ３ａを介して入力する。そして、これを増幅し、直流阻止コンデンサＣＣ２を介して記録／再生スイッチ３ｂの切替端子に出力する。
【００３５】
記録／再生スイッチ３ｂは、上記記録／再生スイッチ３ａと同様、記録／再生動作の切替に連動した切替動作を行うようにされる。
この記録／再生スイッチ３ｂにおける一方の被切替端子は、後述する再生イコライザ回路（コンデンサＣ２−抵抗Ｒ３）と可変抵抗ＲＶとの接続点に対して接続される。また、この記録／再生スイッチ３ｂにおける他方の被切替端子に対しては、抵抗Ｒ２とコンデンサＣ１との並列接続回路による録音イコライザ回路が接続される。
この記録／再生スイッチ３ｂは、記録時においては、上記録音イコライザ回路側端子を選択し、再生時においては上記再生イコライザ回路側端子を選択するようにされる。
【００３６】
上記のようにして抵抗Ｒ２とコンデンサＣ１との並列接続回路により形成される録音イコライザ回路は、所要の時定数に基づき、上記録音・再生回路４より入力した音声信号としての各種周波数信号のレベルを補償する。そして、このようにして各種周波数帯のレベルが補償された音声信号を、記録信号として記録／再生ヘッド１１内に形成されるコイルに対して出力する。
【００３７】
記録／再生ヘッド１１は、例えば記録用ギャップと再生用ギャップを有するリング状のコアと、これに巻装されたコイルを有して構成される。
この記録／再生ヘッド１１は、記録時においては、上記のようにして録音イコライザ回路からコイルに対して供給された記録信号を、所要の一定速度となるようにして送られてくる磁気テープに対して磁気的に記録する。
また、再生時においては、上記のようにして所要の一定速度となるようにして送られる磁気テープから、磁気信号を検出するようにされ、この検出した磁気信号に対応する再生信号をコイルに得るようにされる。
なお、ここでは図示はしなかったが、実際には、この記録／再生ヘッド１１と共に、消去ヘッドを設けるようにしてもよい。
【００３８】
記録／再生スイッチ３ｃは、上記記録／再生スイッチ３ａ、３ｂと同様、記録／再生動作に連動した切替動作を行う。
この記録／再生スイッチ３ｃの切替端子は、図示するように入力電源の負極端子に対して接続されている。
また、この記録／再生スイッチ３ｃにおける一方の被切替端子は、上記記録／再生ヘッド１１のコイルにおける、上記記録／再生スイッチ３ａの被切替端子が接続される側の端部に対して接続される。この記録／再生スイッチ３ｃでは、記録時にはこちらの端子を選択するようにされる。
また、この記録／再生スイッチ３ｃにおける他方の被切替端子は、上記記録／再生ヘッド１１のコイルにおける上記とは逆側の端部に対して接続される。そして、再生時においては、こちらの端子を選択するようにされる。
【００３９】
コンデンサＣ２、抵抗Ｒ３の直列接続回路により形成される再生イコライザ回路は、所要の時定数に基づいて再生信号としての各種周波数信号のレベルを補償する。
この再生イコライザ回路により各種周波数帯のレベルが補償された再生信号は、図示する可変抵抗ＲＶに供給される。
【００４０】
可変抵抗ＲＶは、上記再生イコライザ回路より供給される再生信号についてのレベル調整を行う。例えば、この可変抵抗ＲＶは、当該マイクロカセットテープレコーダ１の筐体外部に設けられる音量調節操作子に対する操作に連動し、抵抗値を可変することにより、供給される再生信号のレベルを調整する。
この可変抵抗ＲＶに供給された再生信号は、図示する直流阻止コンデンサＣＣ３を介してスピーカドライブ回路５に供給される。
【００４１】
スピーカドライブ回路５は、供給される再生信号を増幅することにより、スピーカ６を駆動するためのドライブ信号を生成する。そして、このようにして生成したドライブ信号を、図示する直流阻止コンデンサＣＣ４を介してスピーカ６に対して出力する。
これにより、このスピーカ６においては、上記ドライブ信号に（再生信号）に基づいた音声出力が行われるようになる。
【００４２】
制御・駆動回路８は、図示するモータ９を駆動させると共に、その回転を制御する。
この制御・駆動回路８は、モータ９の回転子の回転速度が所要の一定速度となるよう、モータ９内の三相コイル９ａに対する駆動電流の供給タイミングを制御する。
本実施の形態の場合、この制御・駆動回路８は、例えばテープ送り速度１．２ｃｍ／ｓのロングモード、及びテープ送り速度２．４ｃｍ／ｓのスタンダードモードの２モードによる記録／再生に対応して、上記モータ９の回転数を制御するようにされる。
すなわち、このマイクロカセットテープレコーダ１においては、ロングモードによる記録／再生を行った場合は、スタンダードモードの場合よりも約２倍程度の時間長の記録／再生を行うことが可能とされている。
【００４３】
モータ駆動スイッチ７は、上記モータ９の動作をオン／オフするためのスイッチである。このモータ駆動スイッチ７は、例えば記録、再生、早戻し再生、早送り再生の操作に応じてオンするようにされる。そして、このようにモータ駆動スイッチ７がオンとされることにより、上記制御・駆動回路８の動作が開始され、これに応じてモータ９が駆動するようにされる。
【００４４】
モータ９は、当該マイクロカセットテープレコーダ１内部に設けられる各種メカ部駆動用のモータである。
このモータ９は、ブラシ整流子を有さないブラシレスモータとされ、上記制御・駆動回路８により生成された駆動電流が三相コイル９ａに供給されることにより、所要の一定速度で以て回転子が回転するよう駆動される。そして、このモータ９により生成された駆動力は、例えば図示しないキャプスタンやハブ等、所要の部位に対して供給される。
このようにして、モータ９の駆動力が上記キャプスタン、ハブ等の媒体駆動部に対して供給されることにより、装填されたマイクロカセットテープの磁気テープが一定速度により駆動される。
【００４５】
ここで、本実施の形態のマイクロカセットテープレコーダ１においては、図示するように、上記三相コイル９ａにおいて得られる電力を検出入力とする、マーカー機能部１０が設けられる。
このマーカー機能部１０は、図示するようにマーカースイッチ１０ａ、直流阻止コンデンサＣＣ５、レベル調整抵抗Ｒ４、バイパスコンデンサＣ３を備えて構成される。
【００４６】
このマーカー機能部１０において、上記マーカースイッチ１０ａの一方の端子は、図示するようにモータ９内の三相コイル９ａのうちの１つのコイルの端部に対して接続される。そして、他方の端子には、直流阻止コンデンサＣＣ５を介してレベル調整抵抗Ｒ４の一端が接続される。
【００４７】
上記レベル調整抵抗Ｒ４の他端は、図示するように記録／再生ヘッド１１のコイルにおける、上記記録／再生スイッチ３ａの被切替端子が接続されていない側の端部に対して接続される。
そして、これら抵抗Ｒ４と記録／再生ヘッド１１のコイルとの接続点と、アースとの間には、バイパスコンデンサＣ３が挿入されている。
【００４８】
上記のように構成されるマーカー機能部１０において、上記マーカースイッチ１０ａと上記モータ９内のコイル端部との接続点には、モータ９を駆動するための駆動電流が流されることにより生ずる、逆起電圧が発生している。
そして、この状態において、上記マーカースイッチ１０ａがオンされるのに応じては、この逆起電圧に対応した信号が直流阻止コンデンサＣＣ５を介し、レベル調整抵抗Ｒ４に対して流されるようになる。
【００４９】
この際、逆起電流は、上記レベル調整抵抗Ｒ４を介することにより、その信号レベルがこのレベル調整抵抗Ｒ４の抵抗値に応じて調整される。
また、このようにして信号レベルの調整された逆起電流は、バイパスコンデンサＣ３によりその高周波成分が除去され、図示する記録／再生ヘッド１１のコイルに供給されるようになる。
【００５０】
記録／再生ヘッド１１は、送られてくる磁気テープに対して、上記のように供給された逆起電圧に応じた信号を記録するようにされる。そして、これにより、この磁気テープ上には、上記三相コイル９ａにおいて得られた逆起電圧に対応する信号音が、マイクロフォン２から供給された音声信号に重畳されるようにして記録されるようになる。
【００５１】
ここで、本実施の形態のように、モータ９としてブラシレスモータを採用する場合、上記のようにして三相コイル９ａに得られる逆起電圧としては、正弦波としての波形が得られるようになる。
つまり、このようなブラシレスモータにおいては、三相コイル９ａに対して交流の駆動電流を流すことにより駆動するようにされているため、三相コイル９ａにおける各巻線に生ずる逆起電圧（誘起電圧）としては、理想的には正弦波形が得られるものである。
そして、この場合、実際としても、三相コイル９ａにおける各巻線に生ずる逆起電圧（誘起電圧）としては、次の図３、図４に示すようにしてほぼ正弦波としての波形が得られるようになる。
【００５２】
図３、図４は、上記説明したロングモード記録時、スタンダード記録時のそれぞれの場合に対応して、上記三相コイル９ａの各コイルに得られる逆起電圧の波形について示した図である。なお、これらの図において、図３では、入力電圧ＶＣＣ＝３Ｖ、テープ送り速度１．２ｃｍ／ｓの条件下での測定結果を、また、図４では入力電圧ＶＣＣ＝３Ｖ、テープ送り速度２．４ｃｍ／ｓの条件下での測定結果をそれぞれ示している。
【００５３】
先ず図３に示すロングモード記録時において、この場合に上記三相コイル９ａの各コイルにおいて得られる逆起電圧としては、図示する３Ｖのラインを基準としたほぼ正弦波状の波形が得られていることがわかる。
つまり、図示するように、３Ｖのラインを基準として負極方向に得られる波形には、モータ９を駆動するための駆動電流による影響があるものの、正極方向において得られる波形としては正弦波状の波形が得られ、これにより、全体を通じてほぼ正弦波状の波形が得られているものである。
【００５４】
また、図４に示すスタンダードモード記録時においても、各コイルにおいて得られる逆起電圧としては、図のように３Ｖのラインを基準としたほぼ正弦波状の波形が得られる。
つまり、この場合も負極方向に得られる波形には駆動電流の影響が見られるものの、全体を通じてほぼ正弦波状の波形が得られるようになる。
なお、これら図３、図４に示す場合において、各コイルにおいて得られる逆起電圧のピークレベルとしては、図３の場合がピークレベルＶｐ＝３．６Ｖとなり、図４の場合がピークレベルＶｐ＝４．２Ｖとなる。
【００５５】
このように三相コイル９ａの各コイルにおいて発生する逆起電圧として、正弦波状の信号波形が得られるようになることで、この逆起電圧に対応する音声信号としては、高次波長をほぼ含まない、マーカー音に適切とされる信号音が得られるようになる。
すなわち、このようにして高次波長を含まず、他の記録音声（人声）と混同されない領域にてほぼ単一周波数成分による信号を得ることができることで、マーカー音として認識しやすい、最適な信号音を得ることができるようになるものである。
【００５６】
ところで、本実施の形態のように、テープ送り速度として１．２ｃｍ／ｓ、２．４ｃｍ／ｓ程度の速度を得る場合、これに対応して設定されるモータ９の回転数等の関係から、このモータ９に駆動電流を供給するための三相コイル９ａに発生する逆起電圧としては、比較的低い周波数の波形が得られるようになる。
すなわち、このマイクロカセットテープレコーダ１のような一般的なカセットテープレコーダ内に備えられるモータ９において、上記三相コイル９ａの各コイルに生じるとされる逆起電圧の信号波形としては、比較的低周波なものが得られるものである。
本実施の形態のマイクロカセットテープレコーダ１において、図３に示したテープ送り速度１．２ｃｍ／ｓの場合に得られる波形の周波数は、ｆ＝１１７．６Ｈｚとなり、また、図４に示したテープ送り速度２．４ｃｍ／ｓの場合は周波数ｆ＝２１７．０Ｈｚとなる実験結果が得られている。
【００５７】
このような周波数帯の信号は、例えば明瞭に話される人声の周波数レンジ（およそ３００Ｈｚ〜４ｋＨｚ）と比較して相当に低い周波数とされる。このため、このような信号が他の音声信号に重畳されて記録され、その後、通常再生時において対応する記録部分が再生されたとしても、この信号の再生音が他の音声信号の再生音を妨げることはない。
一方、早送り再生／早戻し再生時において、上記逆起電圧に対応した信号の記録部分の再生音としては、テープ送り速度が速められることにより、十分に聞き取ることのできる周波数帯の音として聴覚的に認識されるようになる。そして、この再生音は、他の人声の再生音に対しては、引き続きその周波数帯域が低いものとされているため、このような早送り／早戻し再生時にも人声の再生音とは明確に区別することができる。
つまり、モータ９の逆起電力に基づく信号音は、マーカー音として充分に機能するものである。
【００５８】
以上、本実施の形態のマイクロカセットテープレコーダ１について説明した。上述もしたように、このマイクロカセットテープレコーダ１では、各種メカ部駆動用に設けられる、モータ９の三相コイル９ａに発生する逆起電圧を検出入力とするマーカー機能部１０が設けられる。そして、このマーカー機能部１０においては、マーカースイッチ１０ａがオンとされるのに応じて、この逆起電圧に基づいた逆起信号が生成され、これが記録／再生ヘッド１１のコイルに対して供給されるようになる。
これにより、この記録／再生ヘッド１１は、送られてくる磁気テープに対して、この逆起信号に基づいた信号音を、他の記録信号に重畳して記録するようにされる。そして、この結果、磁気テープ上の対応する部分には、上記逆起電圧に対応した信号音がマーカー音として記録されるようになる。
【００５９】
このように、マーカー音として三相コイル９ａに発生する逆起電圧を利用することができるようになることで、このマーカー音を記録するために従来では必要とされていた、低周波発振器（１１１）、及びバッファーアンプ（１１２）を不要とすることができるようになる。
【００６０】
また、このようにモータ９内の三相コイル９ａに得られる逆起電圧の信号波形としては、モータ９を一定速度で駆動するための駆動電流に依存するようになるため、比較的安定した周波数が維持されるようになる。
すなわち、上記のように三相コイル９ａに得られる逆起電圧を利用することによっては、マーカー音として、安定した周波数による信号音を磁気テープ上に記録することができる。
【００６１】
また、さらに、本実施の形態のように、モータ９としてブラシレスモータを用いるようにすることによっては、図３、図４において説明したように、三相コイル９ａに生じる逆起電圧の信号波形として、ほぼ正弦波状の波形が得られるようになる。
このように、逆起電圧の信号波形として正弦波状の波形が得られるようになることで、マーカー音として、最適な信号音を記録することができるようになる。
【００６２】
ここで、図１の説明からも理解されるように、本実施の形態のマイクロカセットテープレコーダ１の構成によれば、上記マーカースイッチ１０ａがオンとされている間にのみ、上記逆期電圧に対応する逆期信号を記録／再生ヘッド１１のコイルに対して供給するようにされている。
すなわち、このような構成では、上記マーカースイッチ１０ａに対する操作に応じた所要の時間長にわたって、マーカー音としての信号音を記録することができるようになるものである。
【００６３】
しかしながら、本実施の形態では、このような方式に加え、さらに以下に説明するような方式を採るようにすることも可能とされる。
図２は、変形例としてのマイクロカセットテープレコーダ２０内部の要部の構成を示す回路図である。
なお、この図において、既に図１で説明した部分については同一の符号を付して説明を省略する。
【００６４】
この図２に示すマイクロカセットテープレコーダ２０では、上記図１において説明したマーカー機能部１０に対して、図のような時定数回路１２を設けるようにしたものである。そして、これにより、マーカースイッチ１０ａがオフとされた以降も、記録／再生ヘッド１１のコイルに対し、所定時間長にわたって逆起信号を出力できるようにしたものである。
【００６５】
まず、この図に示すマーカー機能部１０において、マーカースイッチ１０ａは、一方の端子が入力電源の正極端子に対して接続される。そして、このマーカースイッチ１０ａの他方の端子は、時定数回路１２内の抵抗Ｒ９を介し、ＰＮＰ型のトランジスタＱ１のベースに対して接続される。
また、直流阻止コンデンサＣＣ５とレベル調整抵抗Ｒ４との間には、抵抗Ｒ５が挿入される。
【００６６】
時定数回路１２において、上記トランジスタＱ１のコレクタは、抵抗Ｒ７を介してＰＮＰ型のトランジスタＱ２のベースに対して接続される。また、このトランジスタＱ１のエミッタは、入力電源の負極端子側に対して接続される。
【００６７】
上記トランジスタＱ２のエミッタは、上記抵抗Ｒ５とレベル調整抵抗Ｒ５との接続点に対して接続される。また、トランジスタＱ２のコレクタは、図示するように入力電源の負極端子に対して接続される。
【００６８】
抵抗Ｒ６は、抵抗Ｒ８と共に直列接続回路を形成する。この直列接続回路の抵抗Ｒ６側は、入力電源の正極端子に対して接続され、抵抗Ｒ８側は入力電源の負極端子に対して接続される。
そして、これら抵抗Ｒ６、抵抗Ｒ８の接続点は、上記抵抗Ｒ７を介してトランジスタＱ２のベースに対して接続されている。
【００６９】
上記トランジスタＱ２のベースに対しては、抵抗Ｒ７を介してコンデンサＣ４の正極端子も接続される。そして、この時定数コンデンサＣ４の負極端子は、入力電源の負極端子に対して接続される。
【００７０】
上記構成において、マーカースイッチ１０ａがオフの状態にあるときは、入力電源の正極端子より、上記抵抗Ｒ６と抵抗Ｒ８の接続点→抵抗Ｒ７を介して電力が供給され、時定数コンデンサＣ４が充電されている状態にある。そして、これによりトランジスタＱ２のベースには、ベース電流を流すのに足るベース電位が得られ、このトランジスタＱ２はオンとされている。
このため、三相コイル９ａで得られた逆起信号を記録／再生ヘッド１１内のコイルに供給する経路は、入力電圧の負極側とショートしていることとなり、逆起信号は記録／再生ヘッド１１のコイルに供給されてはいない。
なお、この際、逆起電圧に対応する電流は、上記抵抗Ｒ５を介することにより、トランジスタＱ２に流すべき所定のレベルに調整されてこのトランジスタＱ２に流れるようになる。
【００７１】
このような状態から、上記マーカースイッチ１０ａがオンとされた場合には、先ずトランジスタＱ１のベースに対し、入力電源の正極端子から電力が供給されてトランジスタＱ１がオンとされる。
これに応じては、トランジスタＱ１のコレクタ→エミッタを介して時定数コンデンサＣ４の電荷が短期間で放電されるようになる。
【００７２】
これに伴っては、トランジスタＱ２のベース電位も急激に低下するようにされ、トランジスタＱ２はオフするようにされる。
そして、トランジスタＱ２がオフとなることによっては、上記三相コイル９ａに発生する逆起電圧に基づいた信号が、記録／再生ヘッド１１のコイルに対して供給されるようになる。
【００７３】
このような記録／再生ヘッド１１のコイルへの信号供給は、上記マーカースイッチ１０ａがオンからオフへ切り替えられて以降も所定時間にわたって継続される。
すなわち、上記マーカースイッチ１０ａがオフとされることによっては、トランジスタＱ１がオフとされ、再び時定数コンデンサＣ４の充電が開始されるのであるが、この場合、抵抗Ｒ６としては、抵抗値の比較的大きいものが選定されるため、上記時定数コンデンサＣ４の充電は徐々に行われていくようにされる。
従って、トランジスタＱ２は、この時定数コンデンサＣ４及び抵抗Ｒ８の時定数に応じた時間にわたって、オフ状態が維持されるようになる。そして、これにより、上記記録／再生ヘッド１１は、送られてくる磁気テープに対し、上記逆起信号を記録する動作を維持するようにされるものである。
【００７４】
このようにして、上記時定数回路１２を設けることで、上記マーカースイッチ１０ａがオフとされた以降も、所定の時間長にわたって上記逆起信号に対応したマーカー音を磁気テープ上に記録することができるようになる。
【００７５】
なお、本実施の形態では、本発明の記録装置が、マイクロカセットテープに対する音声記録を行うマイクロカセットテープレコーダに適用される場合を例に挙げた。
しかしながら、これ以外にも、例えばカセットテープに対するアナログ信号の記録が可能なカセットテープレコーダ等、所要の記録媒体に対するアナログ信号の記録が可能であって、この記録媒体の駆動にモータ用いる構成とされる装置であれば、本発明の記録装置を適用できる。
【００７６】
【発明の効果】
以上で説明したように本発明では、記録媒体を駆動させるためのモータを駆動させることに伴って当該モータ内のコイルにおいて発生する、逆起電力を検出するようにしている。そして、このようにして検出した逆起電力に対応する信号を、他の記録データに重畳して上記記録媒体に対して記録するようにしている。
【００７７】
これにより、当該記録装置においては、上記逆起電力に対応した信号を、マーカー音として上記記録媒体に記録することができるようになり、この結果、上記マーカー音を記録するために従来必要とされていた、低周波発振器、及びバッファーアンプを省略することができるようになる。
このように低周波発振器及びバッファーアンプを省略することができるようになることで、回路製造上のコストの削減、及び回路の省スペース化が図られるようになる。
【００７８】
また、上記モータとして、例えばブラシレスモータを用いるようにすることによっては、上記コイルに得られる逆起電力として、ほぼ正弦波状の信号波形を得ることができるようになる。
このようにして、逆起電力に対応した信号としてほぼ正弦波となる波形が得られることによっては、特に正弦波生成のための回路や素子等を付加することなく、記録媒体に記録するマーカー音として最適な信号音を記録することができるようになる。
【図面の簡単な説明】
【図１】本発明における実施の形態としての記録装置内部の要部の構成を示した回路図である。
【図２】変形例としての記録装置内部の要部の構成を示した回路図である。
【図３】媒体駆動用のモータ内のコイルにおいて得られる逆起電圧の波形を示す波形図である。
【図４】媒体駆動用のモータ内のコイルにおいて得られる逆起電圧の波形を示す波形図である。
【図５】従来の記録装置内部の要部の構成を示した回路図である。
【図６】従来の記録装置内部の要部の構成を示した回路図である。
【符号の説明】
１　マイクロカセットテープレコーダ、２　マイクロフォン（ＭＩＣ）、３ａ、３ｂ、３ｃ　記録／再生スイッチ、４　録音・再生回路、５　スピーカドライブ回路、６　スピーカ、７　モータ駆動スイッチ、８　制御・駆動回路、９　モータ、９ａ　三相コイル、１０　マーカー機能部、１０ａ　マーカースイッチ、１１　記録／再生ヘッド、１２　時定数回路、ＣＣ５　直流阻止コンデンサ、Ｒ４レベル調整抵抗、Ｃ３　バイパスコンデンサ、Ｃ４　時定数コンデンサ
【図１】
2004039115.tif 000003
【図２】
2004039115.tif 000004
【図３】
2004039115.tif 000005
【図４】
2004039115.tif 000006
【図５】
2004039115.tif 000007
【図６】
2004039115.tif 000008